(57)【特許請求の範囲】
【請求項１】
第１及び第２の音声チャンネルを有する音声信号が入力される第１及び第２の信号端子と接地端子とが設けられたステレオジャックと、
前記第１の信号端子に接続された第１のバッファアンプと、
前記第２の信号端子に接続された第２のバッファアンプと、
前記ステレオジャックから入力された音声信号に対して、ステレオ録音を行うか又はモノラル録音を行うかの指示を受け入れる操作部と、
前記操作部の操作により、ステレオ録音を行うことが指示された場合はステレオである旨を表示し、モノラル録音を行うことが指示された場合はモノラルである旨を表示部に表示させる表示制御部と、
前記第２のバッファアンプの出力側端子と前記第１のバッファアンプの入力側端子との間に設けられるとともに、スイッチと所定の抵抗との直列接続から成り、前記スイッチは、前記操作部の操作がステレオ録音を行うことが指示された場合はオフとなり、モノラル録音を行うことが指示された場合はオンになる直列回路とを具備し、
前記ステレオジャックにモノラルプラグが接続され、かつ前記操作部によりモノラル録音が指示されている場合、前記第１の信号端子に入力された音声信号は、前記第１のバッファアンプを介して記録され、前記第２の信号端子は前記モノラルジャックにより前記接地端子と短絡し、前記抵抗は前記第１のバッファアンプへの入力レベルへの低下を防止するように機能する、
ことを特徴とする、録音装置。
【発明の詳細な説明】
【技術分野】
【０００１】
本発明は、ステレオ信号の入力を受け入れる入力回路を備えた録音装置に関する。
【背景技術】
【０００２】
図３は従来の録音装置におけるマイク入力回路の一部を示す回路図である。このマイク入力回路は外部マイクを使用するためのステレオ用のマイクジャックに接続されている。このマイク入力回路においては、同図に示すように、ステレオマイクを用いてモノラル録音も行うことができるようにするために、左チャンネル側及び右チャンネル側の各回路の途中において、ノイズを拾わないようにするためのバッファアンプ３１及び３２が設けられ、かつバッファアンプ３１及び３２の出力側において、左右チャンネルの各回路間を短絡させるための短絡スイッチ３３が設けられている。バッファアンプ３１及び３２にはそれぞれ、マイクジャックからの左チャンネル信号及び右チャンネル信号が入力される。
【０００３】
録音装置はステレオ録音を行うか又はモノラル録音を行うかを指示するための操作手段を備える。そして、ステレオ録音を行う旨が指示された場合には、短絡スイッチ３３をオフ状態とするとともに、マイクの切替え状態を示すマイク切替え表示を「ステレオ」とする。モノラル録音を行う旨が指示された場合には、短絡スイッチ３３をオン状態とするとともに、マイク切替え表示を「モノラル」とする。つまり、短絡スイッチ３３の状態と、マイク切替え表示の状態とは連動している。
【０００４】
この構成において、マイクジャックにステレオマイクが接続され、ステレオ録音を行う旨が指示されると、短絡スイッチ３３がオフ状態とされ、マイク切替え表示が「ステレオ」となる。この状態において、ステレオマイクからの左チャンネル信号及び右チャンネル信号はそれぞれバッファアンプ３１及び３２を経て、マイク入力回路から出力され、ステレオ録音に供される。
【０００５】
一方、マイクジャックにステレオマイクが接続され、モノラル録音を行う旨が指示されると、図４に示すように、短絡スイッチ３３がオン状態とされ、マイク切替え表示が「モノラル」となる。この状態において、ステレオマイクからの左チャンネル信号及び右チャンネル信号は、バッファアンプ３１及び３２を通過した後、短絡スイッチ３３を介して相互に加算され、モノラル録音に供される。
【０００６】
なお、相互に接続された２つの信号端子を介してモノラルの音声信号を出力する１個のジャックを、３極のステレオプラグ付きのヘッドホン及び２極のモノラルプラグ付きのイヤホンで共用できるようにしたヘッドホン及びイヤホン共用回路が知られている（たとえば、特許文献１参照）。この回路においては、ジャックに対してモノラルプラグが接続されたとき、ジャックの２つの信号端子のうち一方が接地することになるが、他方の信号端子までもが接地してしまうのを防止するために、ジャックの２つの信号端子間の接続を、抵抗を介して行うようにしている。
【０００７】
【特許文献１】特開２００７−２０３５８２号公報
【発明の開示】
【発明が解決しようとする課題】
【０００８】
しかしながら、上述の従来技術によれば、マイク切替え表示が「モノラル」であって、短絡スイッチ３３がオン状態の場合に、モノラルマイクをマイクジャックに接続すると、図５に示すように、右チャンネルが接地状態となるので、短絡スイッチ３３を介して左チャンネルまでもが接地状態になってしまう。
【０００９】
一方、マイク切替え表示を「ステレオ」として短絡スイッチ３３をオフ状態とした場合に、モノラルマイクをマイクジャックに接続すると、左チャンネルを経てモノラル信号を取得することができる。しかしこの場合、マイク切替え表示の「ステレオ」と、取得するモノラル信号とが矛盾することになる。
【００１０】
さらに、ステレオマイクを使用し、マイク切替え表示を「モノラル」として短絡スイッチ３３をオン状態とした場合には、図６に示すように波形歪Ｄｉｓｔを生じるので、図７に示すように、加算回路７１を介して左チャンネルの出力を得るようにする必要がある。
【００１１】
本発明の目的は、このような従来技術の問題点に鑑み、録音装置において、マイク切替え表示と、マイクから取得する信号との矛盾が生じるのを防止することにある。
【課題を解決するための手段】
【００１２】
この目的を達成するため、本発明の第１及び第２の音声チャンネルを有する音声信号が入力される第１及び第２の信号端子と接地端子とが設けられたステレオジャックと、前記第１の信号端子に接続された第１のバッファアンプと、前記第２の信号端子に接続された第２のバッファアンプと、前記ステレオジャックから入力された音声信号に対して、ステレオ録音を行うか又はモノラル録音を行うかの指示を受け入れる操作部と、前記操作部の操作により、ステレオ録音を行うことが指示された場合はステレオである旨を表示し、モノラル録音を行うことが指示された場合はモノラルである旨を表示部に表示させる表示制御部と、前記第２のバッファアンプの出力側端子と前記第１のバッファアンプの入力側端子との間に設けられるとともに、スイッチと所定の抵抗との直列接続から成り、前記スイッチは、前記操作部の操作がステレオ録音を行うことが指示された場合はオフとなり、モノラル録音を行うことが指示された場合はオンになる直列回路とを具備し、前記ステレオジャックにモノラルプラグが接続され、かつ前記操作部によりモノラル録音が指示されている場合、前記第１の信号端子に入力された音声信号は、前記第１のバッファアンプを介して記録され、前記第２の信号端子は前記モノラルジャックにより前記接地端子と短絡し、前記抵抗は前記第１のバッファアンプへの入力レベルへの低下を防止するように機能する、ことを特徴とする。ここで、第１及び第２のチャンネルとしては、それぞれ、左チャンネル及び右チャンネル、又は右チャンネル及び左チャンネルが該当する。
【００１３】
この構成において、切替え手段が切断状態の場合には、第１及び第２信号端子に対してステレオ信号が印加されると、第１及び第２バッファアンプを介して、ステレオ信号が得られる。この場合、左右のチャンネルの回路は、それぞれバッファアンプが存在するだけの同一の回路構成となる。
【００１４】
一方、切替え手段が接続状態の場合には、第１及び第２信号端子に対してステレオ信号が印加されると、第１信号端子からの第１チャンネルの信号と、第２信号端子からの第２バッファアンプ、並びにスイッチ及び抵抗の直列回路を経た第２チャンネルの信号とが加算されて第１バッファアンプに入力される。これにより、波形歪を生じさせることなくかつ加算回路を要することもなく、左右チャンネルの信号を加算したモノラル信号を、第１バッファアンプの出力として得ることができる。
【００１６】
ここで、ステレオジャックとしては、たとえば、左チャンネル用の端子、右チャンネル用の端子、及び接地端子を備えた３極タイプのものや、さらにリモコン等の信号ラインを接続するための端子を備えた４極タイプのものが該当する。
【発明の効果】
【００２０】
本発明によれば、第２バッファアンプの出力側端子と第１バッファアンプの入力側端子との間において、切替え手段及び所定の抵抗の直列回路を設けるようにしたため、切替え手段を接続状態とした場合には、加算回路を必要とすることなく、かつ波形歪を生じさせることなく、左右チャンネルの信号を加算したモノラル信号を、第１バッファアンプの出力として得ることができる。また、切替え手段を切断状態とした場合には、左右チャンネルの各回路が、それぞれバッファアンプが存在するだけの同一の回路構成となり、各チャンネルを介してステレオ信号を得ることができる。
【発明を実施するための最良の形態】
【００２１】
図１は、本発明の一実施形態に係る録音装置におけるマイク入力回路を示す回路図である。同図に示すように、この回路は、録音装置の図示していないマイクジャックにおける左チャンネル用の左端子に接続された入力抵抗Ｒ１、前記左端子からの左チャンネル信号Ｌｃｈを抵抗Ｒ１と協働して分圧する抵抗Ｒ２、分圧された左チャンネル信号が非反転入力端子に入力されるバッファアンプ１１、前記マイクジャックにおける右チャンネル用の右端子に接続された入力抵抗Ｒ３、抵抗Ｒ３と協働して前記右端子からの右チャンネル信号Ｒｃｈを分圧する抵抗Ｒ４、分圧された右チャンネル信号が非反転入力端子に入力されるバッファアンプ１２、バッファアンプ１２の出力端子及びバッファアンプ１１の非反転入力端子間に設けられた抵抗Ｒ５及び短絡スイッチＳＷの直列回路、並びにバッファアンプ１１及び１２の出力をデジタル信号に変換するＡＤコンバータ１３を備える。
【００２２】
録音装置は録音をステレオで行うか又はモノラルで行うかを指示するための操作手段、この操作手段による指示操作に応じて、マイク切替え表示を「ステレオ」及び「モノラル」間で切り替えるとともに、スイッチＳＷの状態をオフ状態及びオン状態間で切り替える制御手段を備える。制御手段は、録音をステレオで行う旨の指示がなされた場合には、マイク切替え表示を「ステレオ」とするとともに、スイッチＳＷの状態をオフ状態とする。録音をモノラルで行う旨の指示がなされた場合には、マイク切替え表示を「モノラル」とするとともに、スイッチＳＷの状態をオン状態とする。録音装置のマイクジャックは接地端子を備え、モノラルプラグが接続されたとき、該モノラルプラグを介して該接地端子及び前記右端子間が短絡するようになっている。
【００２３】
この構成において、ステレオマイクが録音装置のマイクジャックに接続され、操作手段により録音をステレオで行う旨の指示がなされると、録音装置は、マイク切替え表示を「ステレオ」とし、スイッチＳＷをオフ状態とする。この場合、ステレオマイクからの左チャンネル信号Ｌｃｈは、マイクジャックの左端子を介して、図１の回路の左チャンネル側に入力される。入力された左チャンネル信号Ｌｃｈは、抵抗Ｒ１及び抵抗Ｒ２によって分圧され、さらに、バッファアンプ１１を経由して、ＡＤコンバータ１３に入力される。
【００２４】
一方、ステレオマイクからの右チャンネル信号Ｒｃｈは、マイクジャックの右端子を介して、図１の回路の右チャンネル側に入力される。入力された右チャンネル信号Ｒｃｈは抵抗Ｒ３及びＲ４により分圧され、さらにバッファアンプ１２を経由して、ＡＤコンバータ１３に入力される。ＡＤコンバータ１３に入力された左右チャンネルの信号は、デジタル信号に変換され、ステレオ録音に供されることになる。
【００２５】
また、ステレオマイクが録音装置のマイクジャックに接続され、操作手段により録音をモノラルで行う旨の指示がなされると、録音装置は、マイク切替え表示を「モノラル」とし、スイッチＳＷをオン状態とする。ステレオマイクからの左チャンネル信号Ｌｃｈは、マイクジャックの左端子を介して、図１の回路の左チャンネル側に入力される。入力された左チャンネル信号Ｌｃｈは、抵抗Ｒ１及びＲ２により分圧され、バッファアンプ１１の非反転入力端子に入力される。ステレオマイクからの右チャンネル信号Ｒｃｈは、マイクジャックの右端子を介して、図１の回路の右チャンネル側に入力される。入力された右チャンネル信号Ｒｃｈは、抵抗Ｒ３及びＲ４により分圧され、さらにバッファアンプ１２、スイッチＳＷ、及び抵抗Ｒ５を経由して、バッファアンプ１１の非反転入力端子に入力される。
【００２６】
これにより、バッファアンプ１１の出力として、左チャンネル信号及び右チャンネル信号が加算されたモノラル信号を得ることができる。このモノラル信号は、ＡＤコンバータ１３に入力され、デジタル信号に変換され、モノラル録音に供されることになる。
【００２７】
また、モノラルマイクが録音装置のマイクジャックに接続され、操作手段により録音をモノラルで行う旨の指示がなされると、録音装置は、マイク切替え表示をモノラルとし、スイッチＳＷをオン状態とする。この場合、モノラルマイクからのモノラル信号は、マイクジャックの左端子を介して、図１の回路の左チャンネル側に入力される。入力されたモノラル信号は抵抗Ｒ１及びＲ２により分圧され、バッファアンプ１１の非反転入力端子に入力される。これに応じてバッファアンプ１１が出力するモノラル信号は、ＡＤコンバータ１３によりデジタル信号に変換され、モノラル録音に供されることになる。
【００２８】
このとき、モノラルマイクの２極タイプのプラグによって、マイクジャックの右端子及び接地端子が短絡し、抵抗Ｒ３の入力側は接地状態となる。これにより、バッファアンプ１２の出力インピーダンスが低下する。しかし、抵抗Ｒ５によって、バッファアンプ１１への入力レベルの低下が防止され、所望のレベルのモノラル信号を、バッファアンプ１１の出力として得ることができる。
【００２９】
図１の構成において、抵抗Ｒ５と、左チャンネル側の入力インピーダンスとの関係を調べるため、次の測定を行った。すなわち、抵抗Ｒ５を１０［ｋΩ］とし、左チャンネル側の入力信号として、２００［Ｈｚ］、−３０［ｄＢＶ］の信号を印加し、右チャンネル側の入力信号として、２［ｋＨｚ］、−３０［ｄＢＶ］の信号を印加し、スイッチＳＷをオン状態（マイク切替え表示は「モノラル」の状態）として、バッファアンプ１１の出力レベルを測定した。
【００３０】
測定に際しては、抵抗Ｒ１として、表１中の「入力付加抵抗」の欄において示す各抵抗値のものを用いた。また、測定は、録音装置のマイクジャックに対し、モノラルマイクを接続したのと同等の状態（右チャンネル側の入力が接地された状態）、及びステレオマイクを接続したのと同等の状態において行った。モノラルマイクを接続した状態での測定結果を同表中の「Ｌｃｈ（Ｌのみ）：出力レベル（ｄＢ）」の欄において示すとともに、ステレオマイクを接続した状態での測定結果を「Ｌｃｈ（Ｌ＋Ｒ）：出力レベル（ｄＢ）」の欄において示す。
【表１】
0005223319.tif 000002
【００３１】
次に、スイッチＳＷをオフ状態（マイク切替え表示は「ステレオ」の状態）とし、ステレオマイクを接続したのと同等の状態とした以外は上記表１の場合と同じ条件で、バッファアンプ１１及び１２の出力レベルを測定した。各出力レベルの測定結果をそれぞれ表２中の「Ｌｃｈ：出力レベル（ｄＢ）」の欄及び「Ｒｃｈ：出力レベル（ｄＢ）」において示す。
【表２】
0005223319.tif 000003
【００３２】
さらに、抵抗Ｒ１（入力負荷抵抗）の抵抗値を１０［ｋΩ］とした以外は上記表１の測定の場合と同一の条件において、表３の「周波数」欄で示す各周波数におけるバッファアンプ１１の出力レベルを測定した。モノラルマイクを接続したのと同等の状態での測定結果を同表の「Ｌｃｈ（Ｌのみ）：出力レベル（ｄＢ）」の欄において示し、ステレオマイクを接続したのと同等の状態での測定結果を「Ｌｃｈ（Ｌ＋Ｒ）：出力レベル（ｄＢ）」の欄において示す。
【表３】
0005223319.tif 000004
【００３３】
表１の測定結果によれば、入力負荷抵抗（抵抗Ｒ１）が１０［ｋΩ］の場合、モノラル入力及びステレオ入力に対する左チャンネル側の出力レベルは、約−６［ｄＢ］となっている。また、表２の測定結果によれば、入力負荷抵抗が１０［ｋΩ］の場合、左右チャンネルの出力レベルは−３［ｄＢ］となっている。したがって、入力負荷抵抗（抵抗Ｒ１）が１０［ｋΩ］の場合、マイク切替え表示が「モノラル」（スイッチＳＷがオン）のときと、マイク切替え表示が「ステレオ」（スイッチＳＷがオフ）のときとの出力レベルの差は３［ｄＢ］であり、「ステレオ」の場合の方が大きい。また、表３の測定結果から、入力負荷抵抗が１０［ｋΩ］のときの周波数特性は良好である。したがって、抵抗Ｒ５及び入力負荷抵抗（抵抗Ｒ１）の抵抗値を１０［ｋΩ］とするのが適当であることがわかる。
【００３４】
図２は、表１の測定において、抵抗Ｒ５及びＲ１の抵抗値を１０［ｋΩ］とし、録音装置のマイクジャックに対してステレオマイクを接続したのと同等の状態において、マイク切替え表示を「ステレオ」（スイッチＳＷをオフ）とした場合のバッファアンプ１１の出力波形を示す。同図に示されるように、左チャンネル側の２００［Ｈｚ］の入力信号及び右チャンネル側の２［ｋＨｚ］入力信号とが加算された信号となっていることがわかる。
【００３５】
本実施形態によれば、バッファアンプ１２の出力側端子とバッファアンプ１１の非反転入力端子との間に、スイッチＳＷ及び抵抗Ｒ５の直列回路を設け、抵抗Ｒ１、Ｒ５の抵抗値を適当なものとしたため、マイク切替え表示を「モノラル」（スイッチＳＷをオン）とした場合、モノラルマイクを使用するときであっても、図５のような左チャンネルのグラウンドへの短絡を防止することができる。また、図６の場合のような波形歪の発生を防止することができる。
【００３６】
したがってこの場合、ステレオマイクを使用したときにはステレオマイクからの左右チャンネルの信号を加算した信号を、左チャンネル側の出力として得ることができ、モノラルマイクを使用したときにはモノラルマイクからのモノラル信号を、左チャンネル側の出力として得ることができる。つまり、モノラルマイク又はステレオマイクのいずれを使用する場合においても、支障なく、左チャンネル側においてモノラル信号の出力を得ることができる。したがって、左チャンネル側の出力に基づいて録音を行うことにより、メモリの使用容量を半分にすることができる。
【００３７】
一方、マイク切替え表示を「ステレオ」（スイッチＳＷをオフ）とした場合、ステレオマイクを使用するとき、左右のチャンネルにおいてステレオ出力を得ることができる。また、モノラルマイクを使用するときは、左チャンネルにおいてモノラルの出力を得るとともに、右チャンネルは無出力とすることができる。また、図７の従来例と比較し、加算回路７１を削除し、左右のチャンネルを、それぞれバッファアンプ１１又は１２が存在するだけの同一の回路構成とすることができる。
【図面の簡単な説明】
【００３８】
【図１】本発明の一実施形態に係る録音装置におけるマイク入力回路を示す回路図である。
【図２】図１の装置における左チャンネル側のバッファアンプの出力波形例を示す図である。
【図３】従来の録音装置におけるマイク入力回路の一部を示す回路図である。
【図４】図３の回路において、短絡スイッチがオン状態とされたときの様子を示す図である。
【図５】図３の回路において、右チャンネルが接地状態となった様子を示す図である。
【図６】図３の回路において、波形歪が生じた様子を示す図である。
【図７】図３の回路において、加算回路を介して左チャンネルの出力を得るようにした様子を示す図である。
【符号の説明】
【００３９】
１１，１２，３１，３２：バッファアンプ、１３：ＡＤコンバータ、３３：短絡スイッチ、７１：加算回路、Ｒ１〜Ｒ５：抵抗、ＳＷ：スイッチ。
【図１】
0005223319.tif 000005
【図３】
0005223319.tif 000006
【図４】
0005223319.tif 000007
【図５】
0005223319.tif 000008
【図６】
0005223319.tif 000009
【図７】
0005223319.tif 000010
【図２】
0005223319.tif 000011